(57)【特許請求の範囲】
【請求項１】
矩形の太陽電池モジュールの一辺の端面に取り付けられ、バイパスダイオードを収容する本体ボックスと、
前記一辺の一端に位置する角を含む前記太陽電池モジュールの端面に取り付けられ、前記太陽電池モジュールと電気的に接続される第１の接続部と、第１のコネクタとを備えた第１のコネクタボックスと、
前記一辺の他端に位置する角を含む前記太陽電池モジュールの端面に取り付けられ、前記太陽電池モジュールと電気的に接続される第２の接続部と、第２のコネクタとを備えた第２のコネクタボックスと、
前記本体ボックスと前記第１のコネクタボックスを電気的に接続し、長さが可変である第１の中継部材と、
前記本体ボックスと前記第２のコネクタボックスを電気的に接続し、長さが可変である第２の中継部材と、
を有し、
前記第１のコネクタと前記第２のコネクタは接続可能であり、
前記第１のコネクタボックスは前記一端に位置する角を構成する前記太陽電池モジュールの二辺の端面に取付され、
前記第２のコネクタボックスは前記他端に位置する角を構成する前記太陽電池モジュールの二辺の端面に取付される、
太陽電池モジュール用ジャンクションボックス。
【請求項２】
前記第１のコネクタボックス及び前記第２のコネクタボックスは前記一辺と直交する辺に沿って伸びる延出部を有し、前記第１の接続部は前記第１のコネクタボックスの前記延出部に設けられ、前記第２の接続部は前記第２のコネクタボックスの前記延出部に設けられる請求項１に記載の太陽電池モジュール用ジャンクションボックス。
【請求項３】
前記第１の中継部材及び前記第２の中継部材はケーブルであり、前記第１の中継部材は着脱可能なコネクタにより前記本体ボックス及び前記第１のコネクタボックスに接続され、前記第２の中継部材は着脱可能なコネクタにより前記本体ボックス及び前記第２のコネクタボックスに接続される請求項１又は２に記載の太陽電池モジュール用ジャンクションボックス。
【請求項４】
前記第１のコネクタ及び前記第２のコネクタは、その接続方向が、前記一辺に沿って前記太陽電池モジュールの外側を向く方向である請求項１乃至３のいずれかに記載の太陽電池モジュール用ジャンクションボックス。
【発明の詳細な説明】
【技術分野】
【０００１】
本発明は太陽電池モジュール用ジャンクションボックスに関する。
【背景技術】
【０００２】
太陽光発電システムでは、多数の太陽電池モジュールを直列に接続し必要な電圧を得ている。このとき、個々の太陽電池モジュールは一般にジャンクションボックスを介して直列接続されている。そして、特に太陽電池モジュールに用いられるジャンクションボックス（以降、太陽電池モジュール用ジャンクションボックスと呼ぶ）では、特定の太陽電池モジュールが汚れや影のため逆バイアスとなったり、断線のため不通となったりしたときにも他の正常な太陽電池モジュールからの電力を取り出すため、太陽電池モジュールと並列にバイパスダイオードを備えている。
【０００３】
引用文献１には、太陽電池モジュールの接続用端子ボックスであって、内部にバイパスダイオードが接続され、太陽電池モジュールの裏面に取り付けられるものが記載されている。
【０００４】
引用文献２には、ソーラーモジュールを相互接続するコネクタであって、ソーラーモジュールの角部に固定され、コネクタ同士はケーブルにより接続されるものが記載されている。
【先行技術文献】
【特許文献】
【０００５】
【特許文献１】特開２０００−２９９４８５号公報
【特許文献２】特開２００６−３１０８６６号公報
【発明の概要】
【発明が解決しようとする課題】
【０００６】
近年、建造物の壁面開口に窓ガラスに替えて透過型の太陽電池モジュールを利用した太陽光発電システムを設置することが行われている。このような場合には、太陽電池モジュール用ジャンクションボックスを引用文献１の接続用端子ボックスのように太陽電池モジュールの裏面に取り付けることはできない。さりとて、大型のジャンクションボックスを太陽電池モジュールの受光面の外側に配置すると、その部分は発電に寄与しないため、太陽光発電システム全体の光利用効率が低下してしまう。引用文献２のコネクタでは、かかる問題点は有る程度解消されるものの、コネクタ同士を接続するケーブルの取り回しが難しく太陽電池モジュールを密に配置することができず、また、太陽光発電システムの施工にも手間がかかることになる。
【０００７】
本発明は、かかる事情に鑑みてなされたものであり、その解決しようとする課題は、光利用効率を低下させることなく太陽電池モジュールを密に配置でき、且つ、施工の手間が軽減される太陽電池モジュール用ジャンクションボックスを提供することである。
【課題を解決するための手段】
【０００８】
かかる課題を解決するために、本発明に係る太陽電池モジュール用ジャンクションボックスは、矩形の太陽電池モジュールの一辺の端面に取り付けられ、バイパスダイオードを収容する本体ボックスと、前記一辺の一端に位置する角を含む前記太陽電池モジュールの端面に取り付けられ、前記太陽電池モジュールと電気的に接続される第１の接続部と、第１のコネクタとを備えた第１のコネクタボックスと、前記一辺の他端に位置する角を含む前記太陽電池モジュールの端面に取り付けられ、前記太陽電池モジュールと電気的に接続される第２の接続部と、第２のコネクタとを備えた第２のコネクタボックスと、前記本体ボックスと前記第１のコネクタボックスを電気的に接続し、長さが可変である第１の中継部材と、前記本体ボックスと前記第２のコネクタボックスを電気的に接続し、長さが可変である第２の中継部材と、を有し、前記第１のコネクタと前記第２のコネクタは接続可能であり、前記第１のコネクタボックスは前記一端に位置する角を構成する前記太陽電池モジュールの二辺の端面に取付され、前記第２のコネクタボックスは前記他端に位置する角を構成する前記太陽電池モジュールの二辺の端面に取付される。
【発明の効果】
【０００９】
上記本発明に係る太陽電池モジュール用ジャンクションボックスによれば、光利用効率を低下させることなく太陽電池モジュールを密に配置でき、且つ、施工の手間が軽減される。
【図面の簡単な説明】
【００１０】
【図１】本発明の一実施形態に係る太陽電池モジュール連結体の一部分を示す斜視図である。
【図２】本体ボックスの斜視図である。
【図３】第１のコネクタボックスの斜視図である。
【図４】第２のコネクタボックスの斜視図である。
【図５】第１の中継部材を示す斜視図である。
【図６】太陽電池モジュールに取り付けられた太陽電池モジュール用ジャンクションボックスの電気配線を模式的に示した図である。
【発明を実施するための形態】
【００１１】
以下、本発明の一実施形態を図面を参照しつつ説明する。
【００１２】
図１は、同実施形態に係る太陽電池モジュール用ジャンクションボックス１を用いて接続された太陽電池モジュール連結体２の一部分を示す斜視図である。太陽電池モジュール連結体２は、複数の太陽電池モジュール３が太陽電池モジュール用ジャンクションボックス１により直列に接続されたものであり、同図では、そのうちの２つの太陽電池モジュール３が接続されている様子が示されている。また、太陽光発電システムは、１以上のかかる太陽電池モジュール連結体２を並列に接続し、蓄電池及び充放電回路等の制御回路を接続したものである。
【００１３】
また、説明のため、同図には、３次元空間における方向と、その呼び名が示されている。同図中「前」は、太陽電池モジュール３が光を受ける面が向く方向であり、「後」はその逆方向である。また、「右」及び「左」は、同図中の太陽電池モジュール３が連結される方向に対応しており、「上」及び「下」は、前後方向及び左右方向に直交する方向である。なお、ここでの各方向の呼び名は説明の都合上便宜的に呼びならわしたものであり、それぞれの方向の関係は相対的なものである。すなわち、ここでいう上下方向や左右方向は、現実の鉛直方向や水平方向に必ずしも対応していなくともよい。
【００１４】
太陽電池モジュール３は、図示のとおり矩形である。ここで、矩形とは、観者をして、太陽電池モジュール３の外形が概ね矩形であると評価せしめる程度の形状であることを示しており、数学的に厳密に矩形であることを意味しない。従って、太陽電池モジュール３の外形には、多少の切欠きや突出部があってもよい。また、本実施形態での太陽電池モジュール３は、透過型の太陽電池パネルであるが、これに限定されるものではなく、非透過型の太陽電池パネルであってもよい。
【００１５】
太陽電池モジュール用ジャンクションボックス１は、太陽電池モジュール３の一辺、ここでは上辺の端面の中央近辺に取り付けられる本体ボックス４と、太陽電池モジュール３の上辺の一端に位置する角、ここでは右側の角を含む端面に取り付けられる第１のコネクタボックス５と、太陽電池モジュール３の上辺の他端に位置する角、ここでは左側の角を含む端面に取り付けられる第２のコネクタボックス６と、第１のコネクタボックス５と本体ボックス４を接続する第１の中継部材７及び、第２のコネクタボックス６と本体ボックス４を接続する第２の中継部材８からなっている。
【００１６】
以下、太陽電池モジュール用ジャンクションボックス１を構成する各部分を順に詳細に説明する。
【００１７】
図２は、本体ボックス４の斜視図である。本体ボックス４は、左右に長く、また前後方向に薄い箱状であり、その前後方向の厚みは太陽電池モジュール３と同じか、ほぼ同じとされている。本実施形態では、１０ｍｍとなっている。本体ボックス４の左右の端には、それぞれ第１の本体ボックス側雌中継コネクタ４１Ｒ及び第２の本体ボックス側雌中継コネクタ４１Ｌが設けられている。第１の本体ボックス側雌中継コネクタ４１Ｒは、本体ボックス４の右側面に設けられた差し込み穴４１１Ｒと、断面Ｕ字状の受け部４１２Ｒ、受け部４１２Ｒの前後壁に設けられた係合穴４１３Ｒを備えている。第１の本体ボックス側雌中継コネクタ４１Ｒは、後述する第１の中継部材７の第１の本体ボックス側雄中継コネクタと着脱可能に接続され、本体ボックス４と第１の中継部材７を電気的に接続する。なお、以降を含め本明細書では、着脱可能とは、２以上の部材が破壊や塑性変形を伴うことなく分離できるような態様で接続されることを指す。なお、第２の本体ボックス側雌中継コネクタ４１Ｌは、第１の本体ボックス側雌中継コネクタ４１Ｒと同形状であり、差し込み穴４１１Ｌ、受け部４１２Ｌ及び係合穴４１３Ｌについても同様である。第２の本体ボックス側雌中継コネクタ４１Ｌは、後述する第２の中継部材８の第２の本体ボックス側雄中継コネクタと着脱可能に接続され、本体ボックス４と第２の中継部材８を電気的に接続する。
【００１８】
本体ボックス４の内部には、バイパスダイオードが収容されており、かかるバイパスダイオードのアノード及びカソードは、それぞれ、第１の本体ボックス側雌中継コネクタ４１Ｒの差し込み穴４１１Ｒ内に設けられた端子と、第２の本体ボックス側雌中継コネクタ４１Ｌの差し込み穴４１１Ｌ内に設けられた端子に接続されている。本実施形態では、バイパスダイオードはショットキーダイオードであるが、バイパスダイオードの種類は特に限定されない。また、本体ボックス４の下面は、図１に示すように、太陽電池モジュールの上面（上辺の端面）に接着固定される。
【００１９】
図３は、第１のコネクタボックス５の斜視図である。第１のコネクタボックス５は、本体ボックス４が取り付けられる辺である、太陽電池モジュール３の上辺（図１参照）に沿って延びる本体部５１と、かかる上辺と直交する辺である、太陽電池モジュール３の右辺に沿って延びる延出部５２を有しており、全体としてＬ字型の形状を有している。第１のコネクタボックス５もまた前後方向に薄い形状であり、その前後方向の厚みは太陽電池モジュール３と同じか、ほぼ同じであって、本実施形態では、１０ｍｍである。
【００２０】
本体部５１の左の端、すなわち、太陽電池モジュール３側の端には、第１のコネクタボックス側雌中継コネクタ５３が設けられている。第１のコネクタボックス側雌中継コネクタ５３は、後述する第１の中継部材７の第１のコネクタボックス側雄中継コネクタと着脱可能に接続され、第１のコネクタボックス５と第１の中継部材７を電気的に接続するためのものであり、先の本体ボックス４に設けられた第１の本体ボックス側雌中継コネクタ４１Ｒ及び第２の本体ボックス側雌中継コネクタ４１Ｌと同形状である。従って、第１のコネクタボックス側雌中継コネクタ５３は、差し込み穴５３１（図では見えない）、受け部５３２及び係合穴５３３を備えている。
【００２１】
本体部５１の右の端、すなわち、太陽電池モジュール３の外側方向にあたる端には、太陽電池モジュール３の上辺に沿いかつ外側を向く方向（すなわち、右）を接続方向とする第１のコネクタ５４が設けられている。第１のコネクタ５４は、接続方向に突出する差し込み突起５４１を中央に有し、断面Ｕ字状の受け部５４２及び受け部５４２に設けられた係合穴５４３を差し込み突起５４１の上下にそれぞれ有している。また、差し込み突起５４１の先端には、金属製の端子５４４が露出している。
【００２２】
さらに、延出部５２の左面には、図３では見えないが、開口が設けられており、その内部に第１の接続部５５が露出している。第１の接続部５５は、端子５４４とも導通している金属端子であり、太陽電池モジュール３のいずれかの極と接続される。本実施形態では、第１の接続部５５は、太陽電池モジュール３の陰極と接続される。なお、第１の接続部５５と太陽電池モジュール３の極との接続方法は特に限定されずどのように行ってもよいが、本実施形態では、太陽電池モジュール３から延び出すリボンケーブルを、第１の接続部５５に直接半田付けすることにより両者を接続している。この他にも、適宜のコネクタを用いたり、ばねなどを用いて端子同士を押しつけたりするなどにより接続してもよい。
【００２３】
本実施形態では、第１のコネクタボックス５は、本体部５１の下面と、延出部５２の左面がそれぞれ太陽電池モジュール３の上辺と右辺、すなわち、太陽電池モジュール３の上辺の右側の角を構成する二辺の端面に接着される。第１のコネクタボックス５は太陽電池モジュール３の角に当たる部分に設置され、また、第１のコネクタ５４の着脱時等に外力が作用しやすい。このとき、本実施形態のように、直交する二面において接着固定するようにすると、接着面に引張り力又は剪断力のいずれか一方のみが作用することがないため、第１のコネクタボックス５の太陽電池モジュール３からの脱落が防止される。なお、本実施形態では、本体部５１の下面の接着面積と、延出部５２の左面の接着面積とを比較すると、延出部５２の左面の接着面積の方が大きい。これは、延出部５２の左面の接着部は、第１のコネクタ５４の着脱時に、図中左右方向に作用する引張り力に耐える必要があるためである。
【００２４】
図４は、第２のコネクタボックス６の斜視図である。第２のコネクタボックス６も第１のコネクタボックス５と同様、本体部６１と延出部６２を有している。そして、本体部６１は、本体ボックス４が取り付けられる辺である、太陽電池モジュール３の上辺（図１参照）に沿って延び、延出部６２はかかる上辺と直交する辺である、太陽電池モジュール３の左辺に沿って延び、第２のコネクタボックス６は全体としてＬ字型の形状を有している。第２のコネクタボックス６もまた前後方向に薄い形状であり、その前後方向の厚みは太陽電池モジュール３と同じか、ほぼ同じであって、本実施形態では１０ｍｍである。
【００２５】
本体部６１の右の端、すなわち、太陽電池モジュール３側の端には、第２のコネクタボックス側雌中継コネクタ６３が設けられている。第２のコネクタボックス側雌中継コネクタ６３は、後述する第２の中継部材８の第２のコネクタボックス側雄中継コネクタと着脱可能に接続され、第２のコネクタボックス６と第２の中継部材８を電気的に接続するためのものであり、先の本体ボックス４に設けられた第１の本体ボックス側雌中継コネクタ４１Ｒ、第２の本体ボックス側雌中継コネクタ４１Ｌ及び第１のコネクタボックス５の第１のコネクタボックス側雌中継コネクタ５３と同形状である。差し込み穴６３１、受け部６３２及び係合穴６３３を備える点も同様である。
【００２６】
本体部６１の左の端、すなわち、太陽電池モジュール３の外側方向にあたる端には、太陽電池モジュール３の上辺に沿いかつ外側を向く方向（すなわち、左）を接続方向とする第２のコネクタ６４が設けられている。第２のコネクタ６４は、第１のコネクタ５４（図３参照）と接続可能であり、対になる形状をしている。第２のコネクタ６４は、第１のコネクタ５４の差し込み突起５４１及び端子５４４が挿入される差し込み穴６４１（図では見えない）を中央に有し、第１のコネクタ５４と第２のコネクタ６４が接続された際には、両者が電気的に接続されるようになっている。差し込み穴６４１の上下には、係合突起６４２がそれぞれ設けられており、第１のコネクタ５４と第２のコネクタ６４が接続された際には、係合突起６４２の先端に設けられた爪が係合穴５４３（図３参照）に引っ掛かることにより、両者の脱落が防止される。係合突起６４２の中ほどには押釦６４３が設けられており、この押釦６４３を押すことにより係合突起６４２の爪が係合穴５４３から外れ、第１のコネクタ５４と第２のコネクタ６４を分離できるようになっている。また、カバー６４４は、第１のコネクタ５４と第２のコネクタ６４が接続された際に端子５４４を覆い保護するためのものである。
【００２７】
さらに、延出部６２の右面には、開口６２１が設けられており、その内部に第２の接続部６５が露出している。第２の接続部６５は、金属製の端子であり、太陽電池モジュール３の、第１の接続部５５（図３参照）に接続される極とは反対の極と接続される。本実施形態では、第２の接続部６５は、太陽電池モジュール３の陽極と接続される。第２の接続部６５と太陽電池モジュール３の極との接続方法もまた特に限定されないが、本実施形態では、太陽電池モジュール３から延び出すリボンケーブルを、第２の接続部６５に直接半田付けすることにより両者を接続している。
【００２８】
本実施形態では、第２のコネクタボックス６もまた、本体部６１の下面と、延出部６２の右面がそれぞれ太陽電池モジュール３の上辺と左辺、すなわち、太陽電池モジュール３の上辺の左側の角を構成する二辺の端面に接着される。この理由は、第１のコネクタボックス５と同様である。本体部６１の下面の接着面積より延出部６２の右面の接着面積のほうが大きい点についても同様である。
【００２９】
以上説明した本体ボックス４、第１のコネクタボックス５及び第２のコネクタボックス６は、その外装は絶縁性材料で形成されており、適宜の合成樹脂を用いてよい。また、本体ボックス４、第１のコネクタボックス５及び第２のコネクタボックス６の内部には金属板等の導電性材料による導通路が収容されている。この導通路は、それぞれの部材に設けられた端子やコネクタにおいてのみ露出しており、不用意な接触等により漏電や短絡することが無いようにされている。
【００３０】
以上のとおり、本実施形態に係る太陽電池モジュール用ジャンクションボックス１では、バイパスダイオードを有する本体ボックス４と、第１の接続部５５を有する第１のコネクタボックス５、及び第２の接続部６５を有する第２のコネクタボックス６が分離されているため（図１参照）、太陽電池モジュール３の大きさによらず、第１のコネクタボックス５と第２のコネクタボックス６を太陽電池モジュール３の上辺の両端に配置することができる。そして、本体ボックス４と第１のコネクタボックス５、及び、本体ボックス４と第２のコネクタボックス６はそれぞれ第１の中継部材７と第２の中継部材８により電気的に接続される。
【００３１】
図５は、第１の中継部材７を示す斜視図である。第１の中継部材７は、ケーブル７１の両端にそれぞれ、第１の本体ボックス側雄中継コネクタ７２と、第１のコネクタボックス側雄中継コネクタ７３が取り付けられたものである。第１の本体ボックス側雄中継コネクタ７２は、本体ボックス４の第１の本体ボックス側雌中継コネクタ４１Ｒ（図２参照）に接続される対となるコネクタである。すなわち、第１の本体ボックス側雄中継コネクタ７２の差し込み突起７２１及び、その先端に露出している金属製の端子７２２は差し込み穴４１１Ｒに差し込まれ、本体ボックス４と第１の中継部材７を電気的に接続する。また、第１の本体ボックス側雄中継コネクタ７２の下側に設けられた係合突起７２３は、先端に設けられた爪が係合穴４１３Ｒに引っ掛かるようになっており、両者の脱落を防止する。
【００３２】
本実施形態では、第１の本体ボックス側雄中継コネクタ７２と第１のコネクタボックス側雄中継コネクタ７３は同形状である。そして、上述の第１の本体ボックス側雄中継コネクタ７２と同様に、第１のコネクタボックス側雄中継コネクタ７３は第１のコネクタボックス５の第１のコネクタボックス側雌中継コネクタ５３（図３参照）と着脱可能に接続される。
【００３３】
ケーブル７１は、一般的な被覆線を用いて良く、その長さは、被覆線を適当な位置で切断することにより任意に調整可能である。すなわち、第１の中継部材７は、その長さが可変である。これにより、図１に示すように、任意の大きさの太陽電池モジュール３に対し、その上辺の中央近辺に配置された本体ボックス４と上辺の一端に配置された第１のコネクタボックス５を接続可能である。
【００３４】
第２の中継部材８は、第１の中継部材７と同様の構造を有する部材である。すなわち、ケーブルの両端にそれぞれ、第２の本体ボックス側雌中継コネクタ４１Ｌ（図２参照）及び第２のコネクタボックス側雌中継コネクタ６３（図４参照）と対になるコネクタである、第２の本体ボックス側雄中継コネクタ及び第２のコネクタボックス側雄中継コネクタが取り付けられたものであり、本体ボックス４及び第２のコネクタボックス６と着脱可能に接続される。
【００３５】
なお、第２の中継部材８の外形は図５に示した第１の中継部材７と同一であるため、あえて第２の中継部材８を図示することはせず、図５を援用することとする。
【００３６】
図６は、太陽電池モジュール３に取り付けられた太陽電池モジュール用ジャンクションボックス１の電気配線を模式的に示した図である。同図には、理解を助けるため、破線にて太陽電池モジュール用ジャンクションボックス１を構成する各部材の概略外形を示した。また、同図中白丸は端子を示している。
【００３７】
図より明らかなように、太陽電池モジュール用ジャンクションボックス１は、太陽電池モジュール３と本体ボックス４内のバイパスダイオード４２を並列に接続する。従って、何らかの理由により太陽電池モジュール３が電圧を発生させることができなくなった場合には、電流は、バイパスダイオード４２を通過して流れる。
【００３８】
図１に戻ると、本実施形態において、隣接する太陽電池モジュール３にそれぞれ取り付けられた第１のコネクタボックス５と、第２のコネクタボックス６が直接接続されていることが見て取れる。これにより、太陽電池モジュール３同士を接続するためのケーブルが不要となるため、太陽光発電システムを設置する現場において、このようなケーブルの取り回しや接続作業を行う必要がない。特に、太陽電池モジュール用ジャンクションボックス１を工場などで予め太陽電池モジュール３に取り付けておくと、単に隣接する太陽電池モジュール３の第１のコネクタボックス５と第２のコネクタボックス６を接続するだけで太陽電池モジュール連結体２が得られるため、施工の手間が大幅に軽減される。また、ケーブルその他の部材が太陽電池モジュールの受光面である前面或いはその後面にかからないため、光利用効率を低下させることがない。さらに、太陽電池モジュール用ジャンクションボックス１は、太陽電池モジュールの一辺、ここでは上辺に沿って直線状にコンパクトに配置され、太陽電池モジュール３同士を接続するケーブルの取り回しの心配もないため、太陽電池モジュール３を密に配置することができる。
【００３９】
なお、以上説明した本発明の実施形態の一つの観点においては、第１の中継部材及び第２の中継部材はケーブルであり、前記第１の中継部材は着脱可能なコネクタにより本体ボックス及び第１のコネクタボックスに接続され、前記第２の中継部材は着脱可能なコネクタにより前記本体ボックス及び第２のコネクタボックスに接続される。
【００４０】
このようにすると、太陽電池モジュール用ジャンクションボックス全体の長さの調節が容易である。
【００４１】
また、本発明の実施形態の別の観点においては、第１のコネクタボックスは一端に位置する角を構成する太陽電池モジュールの二辺の端面に接着され、第２のコネクタボックスは他端に位置する角を構成する前記太陽電池モジュールの二辺の端面に接着される。
【００４２】
このようにすると、第１のコネクタボックスと第２のコネクタボックスは強固に太陽電池モジュールに接着固定され、容易に脱落しない。
【００４３】
また、本発明の実施形態の別の観点においては、第１のコネクタボックス及び第２のコネクタボックスは一辺と直交する辺に沿って伸びる延出部を有し、第１の接続部は前記第１のコネクタボックスの前記延出部に設けられ、第２の接続部は前記第２のコネクタボックスの前記延出部に設けられる。
【００４４】
このようにすると、第１の接続部と第２の接続部が太陽電池モジュールの一辺を挟む両側に配置され、太陽電池モジュール用ジャンクションボックス全体がコンパクトとなり、太陽電池モジュールをより密に配置することができる。
【００４５】
また、本発明の実施形態の別の観点においては、第１のコネクタ及び第２のコネクタは、その接続方向が、一辺に沿って太陽電池モジュールの外側を向く方向である。
【００４６】
このようにすると、隣接する太陽電池モジュール同士を互いに近接させる方向に押し付けあうことにより、第１のコネクタと第２のコネクタが接続される。
【００４７】
なお、本明細書で示した実施形態は、本発明を実施する上での一例を示すものであり、本発明の技術的範囲を実施形態において示された具体的な構成に限定するものではない。実施形態において示された各部材の形状や配置、数等は、必要に応じて適宜設計乃至は変更されてよい。
【符号の説明】
【００４８】
１  太陽電池モジュール用ジャンクションボックス、２  太陽電池モジュール連結体、３  太陽電池モジュール、４  本体ボックス、５  第１のコネクタボックス、６  第２のコネクタボックス、７  第１の中継部材、８  第２の中継部材、４１Ｒ  第１の本体ボックス側雌中継コネクタ、４１Ｌ  第２の本体ボックス側雌中継コネクタ、４１１Ｒ，４１１Ｌ  差し込み穴、４１２Ｒ，４１２Ｌ  受け部、４１３Ｒ，４１３Ｌ  係合穴、４２  バイパスダイオード、５１  本体部、５２  延出部、５３  第１のコネクタボックス側雌中継コネクタ、５３１  差し込み穴、５３２  受け部、５３３  係合穴、５４  第１のコネクタ、５４１  差し込み突起、５４２  受け部、５４３  係合穴、５４４  端子、５５  第１の接続部、６１  本体部、６２  延出部、６２１  開口、６３  第２のコネクタボックス側雌中継コネクタ、６３１  差し込み穴、６３２  受け部、６３３  係合穴、６４  第２のコネクタ、６４１  差し込み穴、６４２  係合突起、６４３  押釦、６４４  カバー、６５  第２の接続部、７１  ケーブル、７２  第１の本体ボックス側雄中継コネクタ、７２１  差し込み突起、７２２  端子、７２３  係合突起、７３  第１のコネクタボックス側雄中継コネクタ。
【図１】
0005627110.tif 000002
【図２】
0005627110.tif 000003
【図３】
0005627110.tif 000004
【図４】
0005627110.tif 000005
【図５】
0005627110.tif 000006
【図６】
0005627110.tif 000007